(57)【要約】本発明は、無線通信の方法を提供する。方法の一実施形態は、少なくとも１つのキャリアおよび各キャリアに関連付けられる少なくとも１つのシステム・タイプを示す情報を含むメッセージを提供することを含む。方法の他の実施形態は、少なくとも１つのキャリアおよび各キャリアに関連付けられる少なくとも１つのシステム・タイプを示す情報を含むメッセージを受信することを含む。
2009539318.tif 000002
【特許請求の範囲】
【請求項１】
無線通信の方法であって、
少なくとも１つのキャリアおよび各キャリアに関連付けられる少なくとも１つのシステム・タイプを示す情報を含むメッセージを提供するステップを含む方法。
【請求項２】
前記各キャリアに関連付けられる少なくとも１つのシステム・タイプを示す情報を提供するステップは、各キャリアに関連付けられるプロトコル改訂および標準改訂の少なくとも１つを示す情報を提供するステップを含む請求項１に記載の方法。
【請求項３】
前記メッセージを提供するステップは、各キャリアの利用可能性のレベル、各キャリアの呼優先度クラス、および各キャリアが、選択された呼優先度クラスを有する移動体ユニットについて利用可能であるかを示す情報の少なくとも１つを示す情報を含むメッセージを提供するステップを含む請求項１に記載の方法。
【請求項４】
前記メッセージを提供するステップに応答して少なくとも１つのハッシングの試みを受信するステップをさらに含み、前記少なくとも１つのハッシングの試みは、前記少なくとも１つのキャリアおよび各キャリアに関連付けられる少なくとも１つのシステム・タイプを示す情報、選択された優先度クラスを有する移動体ユニットに対する前記少なくとも１つのキャリアの利用可能性を示す情報、および移動体ユニットに関連付けられる優先度の少なくとも１つに基づき決定される請求項１に記載の方法。
【請求項５】
前記少なくとも１つのハッシングの試みに基づき移動体ユニットとの少なくとも１つの無線通信リンクを確立するステップを含む請求項４に記載の方法。
【請求項６】
無線通信の方法であって、
少なくとも１つのキャリアおよび各キャリアに関連付けられる少なくとも１つのシステム・タイプを示す情報を含むメッセージを受信するステップを含む方法。
【請求項７】
前記各キャリアに関連付けられる少なくとも１つのシステム・タイプを示す情報を受信するステップは、各キャリアに関連付けられるプロトコル改訂および標準改訂の少なくとも１つを示す情報を受信するステップを含む請求項６に記載の方法。
【請求項８】
前記メッセージを受信するステップは、各キャリアの利用可能性、各キャリアの呼優先度クラス、および各キャリアが、選択された呼優先度クラスを有する移動体ユニットについて利用可能であるかを示す情報の少なくとも１つを示す情報を含むメッセージを提供するステップを含む請求項６に記載の方法。
【請求項９】
少なくとも１つのキャリアおよび各キャリアに関連付けられる少なくとも１つのシステム・タイプを示す前記情報、選択された優先度クラスを有する移動体ユニットに対する前記少なくとも１つのキャリアの利用可能性を示す情報、および優先度クラスの少なくとも１つに基づき少なくとも１つのキャリアを選択するステップを含む請求項８に記載の方法。
【請求項１０】
前記メッセージを受信するステップに応答するハッシングのためにキャリアのグループを形成するステップをさらに含み、前記少なくとも１つのハッシングの試みを提供するステップは、前記グループ内の前記少なくとも１つの選択されたキャリアについて少なくとも１つのハッシングの試みを提供するステップと、前記少なくとも１つのハッシングの試みに基づき前記選択されたキャリアとの少なくとも１つの無線通信リンクを確立するステップを含む請求項９に記載の方法。
【発明の詳細な説明】
【技術分野】
【０００１】
本発明は、全体的に通信システムに関し、より詳細には無線通信システムに関する。
【背景技術】
【０００２】
無線通信システムのカバレッジ・エリアは、典型的に、１つ以上のネットワークでグループにまとめられることができる多数のセルに分割される。セルに関連付けられる基地局は、セルまたはセルのセクタ内の移動体ユニットへの無線接続性を提供する。移動体ユニットは、移動体電話、携帯情報端末、スマートホン、全地球位置システム（ＧＰＳ）デバイス、無線ネットワーク・インタフェース・カード、デスクトップまたはラップトップ・コンピュータなどのデバイスを含むことができる。各セル内に位置する移動体ユニットは、セルに関連付けられた基地局との、しばしばエア・インタフェースと呼ばれる無線通信リンクを確立することによって、無線通信システムにアクセスすることができる。情報は、キャリアによって伝送されるべき情報に基づき変調される高周波数無線シヌソイド波形などのキャリアを使用して、エア・インタフェース上で伝送されることができる。各基地局は、１つ以上のキャリアをサポートすることができ、特定位置に位置する移動体ユニットは、１つ以上の基地局によって提供されるキャリアにアクセスすることができる。
【０００３】
アイドルまたは休眠モードなどのいくつかの活動状態において、または移動体ユニットがパワーダウンされたとき、移動体ユニットは、能動接続を維持することができず、基地局へのエア・インタフェースは解消されることがある。移動体ユニットが目覚めたとき、移動体ユニットは、移動体ユニットを含むセルまたはセクタを受け持つ基地局によって、オーバヘッド・メッセージを同報通信するために聞くことができる。従来のオーバヘッド・メッセージは、典型的に、オーバヘッド・メッセージを同報通信する基地局によって受け持たれたセクタまたはセルに関して存在するキャリアのリストなどの情報を含む。移動体ユニットは、次に、オーバヘッド・メッセージに示されるキャリアをハッシングすることによって、基地局との無線通信リンクを形成しようとすることができる。ハッシングは、利用可能なキャリアのグループからキャリアを擬似ランダムに選択するために、移動体ユニットまたはアクセス・ネットワークによって使用されることができる技術である。
【０００４】
しかしながら、従来のオーバヘッド・メッセージは、各タイプのシステムによってセクタ内に提供されるキャリアを示す情報を含まない。例えば、従来の無線通信システムは、ＣＤＭＡ２０００ＥＶＤＯ規格のＲｅｖｉｓｉｏｎ−Ｂおよび／またはＲｅｖｉｓｉｏｎ−Ｃに従って動作するいくつかの基地局を含むことができる。Ｒｅｖｉｓｉｏｎ−Ｃは、Ｒｅｖｉｓｉｏｎ−Ｂより遅い改訂であり、したがってＲｅｖｉｓｉｏｎ−Ｂをサポートする移動体ユニットは、Ｒｅｖｉｓｉｏｎ−Ｃもサポートすることができ、またはサポートすることができず、およびその逆である。従来のオーバヘッド・メッセージは、ＥＶＤＯ規格のどの改訂が、各キャリアをサポートするかを示す情報を含まないので、無線通信リンクを形成しようとする試みるアイドル移動体ユニットは、移動体ユニットによってサポートされない改訂に従って動作する１つ以上のキャリアをハッシングすることができる。これらの無駄なハッシングの試みは、無駄に使われたオーバヘッドを表す。
【０００５】
従来のオーバヘッド・メッセージは、存在するキャリアが、利用可能であるかまたは過負荷であるかを示す情報も含まない。例えば、アイドル移動体ユニットによって受信されたオーバヘッド・メッセージは、第１および第２のキャリアが、移動体ユニットが位置するセクタ内に存在することを示すことができる。移動体ユニットは、両方のキャリアをハッシングすることができる。しかしながら、第１のキャリアが、過負荷でありかつ移動体ユニットによって選択されるなら、移動体ユニットは、第１のキャリアを介してネットワークとの接続へアクセスしかつ接続を確立することに失敗する。従来のオーバヘッド・メッセージは、第１のキャリアが過負荷であり、したがって移動体ユニットが、過負荷の第１のキャリアでハッシングされることができることを、移動体ユニットに知らせない。第１のキャリアの選択は、ほとんど確実にアクセスおよび承認の労力に失敗し、結果としてシステム・リソースを無駄に消費し、かつ遅延を増大する。他方、比較的低い負荷を有しかつ第２のキャリアでハッシングする第２のキャリアは、アクセスを得る可能性が高く、移動体ユニットが無線通信リンクを確立することを許容する。
【発明の開示】
【発明が解決しようとする課題】
【０００６】
本発明は、上記で示された１つ以上の問題の効果に対処することに向けられる。以下は、本発明のいくつかの態様の基本的な理解を提供するために本発明の単純化された概要を示す。この概要は、本発明の排他的な概略ではない。本発明のキーまたは重要な要素を特定し、または本発明の範囲の輪郭を描くことは意図されない。その単一の目的は、後述されるより詳細な記載に対する序文として、簡略された形態のいくつかの概念を示すものである。
【課題を解決するための手段】
【０００７】
本発明の一実施形態において、無線通信のために方法が提供される。方法の一実施形態は、各キャリアに関連付けられたキャリア利用可能性に基づく優先度クラス毎に、少なくとも１つのキャリアおよび少なくとも１つのシステム・タイプを示す情報を含むメッセージを提供することを含むことができる。方法の他の実施形態は、各キャリアに関連付けられたキャリア利用可能性に基づく優先度クラス毎に、少なくとも１つのキャリアおよび少なくとも１つのシステム・タイプを示す情報を含むメッセージを受信することを含むことができる。
【０００８】
本発明は、同様の参照符号が類似する要素を特定する添付の図面に関連して行われる以下の記載を参照することによって理解されることができる。
【０００９】
本発明は、様々な修正および代替形態を受けることができるが、その特定の実施形態は、図面における実施例として示され、かつ本明細書に詳細に記載される。しかしながら、特定の実施形態の本明細書の記載は、開示された特定の形態に本発明を制限することを意図せず、対照的に、添付の特許請求の範囲によって規定されるように、本発明の精神および範囲内にある全ての修正、等価物、および代替物を包含することが意図されることは理解されるべきである。
【発明を実施するための最良の形態】
【００１０】
本発明の例示的な実施形態が、以下に記載される。明瞭性のために、実際の実施の全ての特徴が、必ずしも本明細書に記載されない。任意のそのような実施の実施形態の展開において、多数の実施に特定の決定が、実施毎に変更されるシステムに関連しかつビジネスに関連する制約に従うなど、開発者の特定の目標を達成するために行われるべきであることがもちろん理解される。さらに、そのような開発労力は、複雑でありかつ時間がかかるが、それにもかかわらず本開示の恩恵を有する当業者の日常の作業であることが理解される。
【００１１】
本発明の一部および対応する詳細な記載は、ソフトウエア、またはアルゴリズムおよびコンピュータメモリ内のデータ・ビットで動作の符号表示に関して示される。これらの記載および表示は、それによって当業者が、他の当業者にその作業の内容を有効に伝える記載および表示である。アルゴリズムは、その用語が本明細書で使用されるように、かつ一般的に使用されるように、望まれた結果を導く首尾一貫したステップのシーケンスであると考えられる。ステップは、物理量を物理的に扱うことを必要とするステップである。通常、必ずしも必要ではないが、これらの量は、格納され、移され、組み合わされ、比較され、および他の方法で扱われることができる、光学、電子、または磁気信号の形態をとる。これらの信号をビット、値、要素、符号、キャラクタ、用語、数などとして参照することは、時には原理的に共通の使用のために好都合であることが証明された。
【００１２】
全てのこれらおよび類似する用語は、適切な物理量に関連付けられるべきであり、かつ単にこれら量に与えられる好都合なラベルであることに留意すべきである。他の方法で特に記載されず、または議論から明らかなように、「処理する」または「計算する」または「算出する」または「決定する」または「表示する」などの用語は、コンピュータ・システムのレジスタおよびメモリ内の物理的電子量として表されたデータを扱い、かつデータをコンピュータ・システム・メモリまたはレジスタまたは他のそのような情報格納、伝送、または表示デバイス内の物理量として同様に表される他のデータに変換する、コンピュータ・システムまたは類似する電子計算デバイスの作動および処理を参照する。
【００１３】
本発明のソフトウエア実施された態様は、典型的に、プログラム格納媒体のいくつかの態様で符号化され、またはいくつかのタイプの伝送媒体にわたって実施されることにも留意されたい。プログラム格納媒体は、磁気（例えば、フロッピー（登録商標）・ディスクまたはハード・ディスク）または光学（例えば、コンパクト・ディスク読み出し専用メモリ、すなわち「ＣＤ  ＲＯＭ」）であることができ、および読み出し専用またはランダム・アクセスであることができる。同様に、伝送媒体は、ツイステッド・ワイヤ対、同軸ケーブル、光ファイバ、または当技術で知られているいくつかの他の適切な伝送媒体であることができる。本発明は、任意の所定の実施のこれら態様に制限されない。
【００１４】
本発明は、添付の図面を参照して以下に記載される。様々な構造、システム、およびデバイスは、本発明が当業者に良く知られている詳細によってあいまいにならないように、説明だけの目的で図面に概略的に示される。それにもかかわらず、添付の図面は、本発明の例示的な実施例を記載しかつ説明するために含まれる。本明細書で使用される言葉および句は、当業者によるこれら言葉および句の理解と一致する意味を有するように、理解されかつ解釈されるべきである。用語または句の特別ではない規定、すなわち当業者によって理解される通常のかつ従来の意味とは異なる規定は、本明細書における用語または句の一貫した使用によって意味することを意図される。用語または句が、特別の意味、すなわち当業者によって理解される以外の意味を有することが意図される限りにおいて、そのような特別な規定は、直接または明確に用語または句の特別な規定を提供する規定する方法で明細書にはっきりと示される。
【００１５】
図１は、無線通信システム１００の第１の例示的な実施形態を概念的に示す。示された実施形態において、無線通信システム１００は、複数の地理的エリアまたはセル１０５（１−２）、１１０（１−４）との無線通信を提供する。数値指標は、集合的にセル１０５、１１０を参照するときに省略されることができる。しかしながら、数値指標（１−２）、（１−４）は、個別のセル１０５、１１０および／またはセル１０５、１１０のサブセットを示すために使用されることができる。この番号付けの取り決めは、他の図に示される要素に適用されることができ、かつ異なる数値指標によって識別されることができる。本開示の恩恵を受ける当業者は、これらのエンティティおよび／またはデバイスが図１に示されていないが、１つ以上の基地局、基地局ルータ、アクセス・ポイントなど、ならびに無線ネットワーク・コントローラなどのコントローラを使用して、無線接続性が、セル１０５、１１０に提供されることができることを理解すべきである。本開示の恩恵を受ける当業者は、図１に示されるセル１０５、１１０の数が、例示でありかつ本発明を制限しないことを意図されることを同様に理解すべきである。
【００１６】
セル１０５、１１０は、異なるシステム・タイプを実装する層１１５、１２０として区別される。一実施形態において、層１１５、１２０に実装されるシステム・プロコトル・タイプは、層１１５、１２０内のセルによってサポートされるキャリア上の無線接続性を提供するために使用される、無線エア・インタフェース規格のプロコトル改訂によって区別される。例えば、層１１５は、ＥＶＤＯ規格のＲｅｖｉｓｉｏｎ−Ｃに従って動作することができ、層１２０は、ＥＶＤＯ規格のＲｅｖｉｓｉｏｎ−Ｂに従って動作することができる。本明細書で使用されるとき、用語「規格またはプロトコル改訂」は、無線通信機器の連続する世代で実装され（またはサポートされる）無線通信規格またはプロコトルの改訂を参照すると理解される。規格またはプロトコル改訂の１つの特徴は、より早期のレガシー改訂だけをサポートするように本来設計された無線通信機器が、典型的に、規格またはプロコトルのより最新の改訂を使用して通信することができないことである。対照的に、より最新の改訂をサポートするように設計された無線通信機器は、また、規格またはプロコトルのレガシー改訂をサポートすることができ、例えば無線通信機器は、規格またはプロコトルのレガシー改訂を後進的に互換をもたすことができる。
【００１７】
層１１５、１２０に実装されるシステム・タイプは、無線接続性を提供するために使用されるキャリアの周波数、および／または無線接続性を提供するために使用される無線アクセス技術によっても区別されることができる。例えば、ＥＶＤＯ  Ｒｅｖ−Ｂ規格および／またはプロコトルに従って動作する無線通信システム１００において、無線接続性は、第１のキャリア周波数を使用するセル１０５に、かつ第２のキャリア周波数を使用するセル１１０に提供されることができる。他の実施例について、無線接続性は、ＵＭＴＳ規格および／またはプロコトルに従ってセル１０５に提供されることができ、および無線接続性は、ＥＶＤＯ  Ｒｅｖ−Ｃ規格および／またはプロコトルに従ってセル１１０に提供されることができる。
【００１８】
無線通信システム１００は、１つ以上の移動体ユニット１２５への無線接続性を提供する。１つの移動体ユニット１２５だけが、示された実施形態において示されているが、本開示の恩恵を受ける当業者は、任意の数の移動体ユニット１２５が、無線通信システム１００内で動作することができることを理解すべきである。本開示の恩恵を受ける当業者は、移動体ユニット１２５が、「ユーザ機器」、「移動局」、「加入者ユニット」、「加入者局」などの当技術の他の用語を使用して参照されることができることも理解すべきである。例示的な移動体ユニット１２５は、限定されず、移動体電話、携帯情報端末、スマートホン、全地球位置システム・デバイス、無線ネットワーク・インタフェース・カード、デスクトップまたはラップトップ・コンピュータなどのデバイスを含むことができる。
【００１９】
移動体ユニット１２５は、層１１５、１２０の一方または両方内でセル１０５、１１０と通信することができる。例えば、移動体ユニット１２５は、ＥＶＤＯ規格のＲｅｖｉｓｉｏｎ−Ｃに従ってセル１０５によって提供されるキャリア、およびＥＶＤＯ規格のＲｅｖｉｓｉｏｎ−Ｂに従ってセル１１０によって提供されるキャリアを使用して通信することができるＲｅｖ−Ｃ−ＥＶＤＯデバイスと逆行して両立することができる。他の実施例について、移動体ユニット１２５は、ＥＶＤＯ規格のＲｅｖｉｓｉｏｎ−Ｃに従ってセル１０５によって提供されるキャリアを使用して通信することができないが、ＥＶＤＯ規格のＲｅｖｉｓｉｏｎ−Ｂに従ってセル１１０によって提供されるキャリアを使用して通信することができるＲｅｖ−Ｂ−ＥＶＤＯデバイスであることができる。
【００２０】
移動体ユニット１２５は、初期的にセル１１０（２）に関連付けられる。移動体ユニットは、したがって、例えばＥＶＤＯ規格のＲｅｖｉｓｉｏｎ−Ｂに従って、セル１１０（２）を介して無線通信システム１００にアクセスし、かつセル１１０（２）を介して無線通信システム１００から情報を受信する。移動体ユニット１２５とセル１１０（２）との間に確立されたエア・インタフェースにわたって、移動体ユニット１２５へ情報を伝送しかつ／または移動体ユニット１２５から情報を受信するための技術は、当業者には知られており、本発明に関連するエア・インタフェースにわたって情報を伝送するこれらの態様の明瞭性の対象は、本明細書でさらに議論される。移動体ユニット１２５は、次にパワー・ダウンされ、アイドル・モードまたは休眠モードなどの非活動モードに入ることができる。セル１１０（２）とのエア・インタフェースは、したがって、移動体ユニット１２５が非活動にあると解消されることができる。
【００２１】
示された実施形態において、非活動の移動体ユニット１２５は、（少なくとも部分的に）重なり合うセル１０５（１）および１１０（３）において基地局によって受け持たれる地理的エリアまたはセクタ内を移動する。しかしながら、この実施形態は、例示的でありかつ本発明を限定しないことを意図される。代替実施形態において、移動体ユニット１２５は、必ずしも移動またはさまよわないことがある。例えば、非活動の移動体ユニット１２５は、セル１１０（２）内の基地局によって受け持たれる位置またはセクタに留まることができる。他の実施例について、非活動の移動体ユニット１２５は、ほぼ同じ位置に留まることができるが、それにもかかわらず、セル１０５、１１０または図１に示されない他のセルに関連付けられるカバレッジ・エリアを拡張し、低減し、または他の方法で修正されることができる、環境状況またはネットワーク構成における変化に起因して異なるセルに関連付けられる。
【００２２】
非活動の移動体ユニット１２５は、次に活動状態に入り、かつセル１０５（１）および１１０（３）の１つとの無線通信リンクを形成しようと試みることができる。活動状態に入るときに（または間に）、移動体ユニット１２５は、セル１０５（１）および１１０（３）によって提供される１つ以上のオーバヘッド・メッセージを受信することができる。オーバヘッド・メッセージは、セル１０５（１）および１１０（３）によって提供されるキャリア、およびこれらキャリアに関連付けられるシステム・タイプのリストを含む。例えば、オーバヘッド・メッセージは、セル１０５（１）によって提供される１つ以上のＲｅｖ−Ｃ両立可能なキャリア、およびセル１１０（３）によって提供される１つ以上のＲｅｖ−Ｂ両立可能なキャリアのリストを含むことができる。一実施形態において、オーバヘッド・メッセージは、リストされたキャリアが利用可能であるかどうかを示す情報も含むことができ、例えばリストは、キャリアが現在過負荷されているかどうかを示すことを示すことができる。
【００２３】
図２は、オーバヘッド・メッセージ２００の１つの例示的な実施形態を概念的に示す。示された実施形態において、オーバヘッド・メッセージ２００は、オーバヘッド・メッセージ２００を受信するセクタ内のキャリアの全数を示すフィールド２０５を含む。オーバヘッド・メッセージ２００は、各存在するキャリアに関する一組のフィールド２１０、２１５、２２０も含む。フィールド２１５、２２０は、それぞれキャリアの帯域クラス、およびＣＤＭＡチャネルまたはキャリアのキャリア数を示す。フィールド２１０は、関連付けられるシステム・タイプを示す。例えばフィールド２１０は、関連付けられたキャリアが、ＥＶＤＯ規格のＲｅｖｉｓｉｏｎ−ＢまたはＲｅｖｉｓｉｏｎ−Ｃのいずれかに従って動作することを示すことができる。しかしながら、上記で議論されたように、フィールド２１０は、キャリアに関連付けられた他のシステム・タイプを示すこともできる。一実施形態において、オーバヘッド・メッセージ２００は、関連付けられるキャリアの利用可能性を示すフィールド２２５を含む。例えばフィールド２２５は、キャリアが過負荷であるかどうかを示す情報を含むことができる。代わりにフィールド２２５は、キャリアの現在の負荷を示す情報を含むことができる。
【００２４】
図１に戻って参照すると、移動体ユニット１２５は、セル１０５（１）および１１０（３）によって提供されかつオーバヘッド・メッセージで示される１つ以上のキャリアをハッシングすることを試みることができる。例えば、移動体ユニット１２５が後進的な互換性のＲｅｖｉｓｉｏｎ−Ｃであり、かつハッシングのための利用可能なＲｅｖ−Ｃキャリアが存在するなら、移動体ユニット１２５は、Ｒｅｖｉｓｉｏｎ−Ｃキャリアだけを含むリストを形成することがある。ハッシングのための利用可能なＲｅｖ−Ｃキャリアが存在しないなら、移動体ユニット１２５は、オーバヘッド・メッセージ内で示されるＲｅｖｉｓｉｏｎ−Ｂキャリアのリストを形成することができる。オーバヘッド・メッセージが、これらキャリアのいくつかが利用可能であるかどうかを示す情報を含むなら、移動体ユニット１２５は、候補キャリアのリストから利用可能でないまたは過負荷のキャリアを除外することができる。移動体ユニット１２５は、次にリスト内の１つ以上のキャリアをハッシングしようと試みることができる。例えば、移動体ユニット１２５は、リストからハッシングによってキャリアを選択することができる。移動体ユニット１２５は、第１にＲｅｖｉｓｉｏｎ−Ｃキャリアをハッシングすることを試み、次にＲｅｖｉｓｉｏｎ−Ｃキャリアのいずれも利用可能でないならＲｅｖｉｓｉｏｎ−Ｂキャリアをハッシングしようと試みることができる。
【００２５】
一実施形態において、キャリアの利用可能性は、移動体ユニット１２５または呼の異なる優先度クラスに対するキャリアの負荷に基づきオーバヘッド・メッセージで示されることができる。例えば、オーバヘッド・メッセージは、いくつかのキャリアが、低い優先度ユーザまたは呼に利用可能ではないことを示す情報を含むことができる。しかしながら、オーバヘッド・メッセージは、これらキャリアが、中間または高い優先度ユーザまたは呼に利用可能であることを示す情報も含むことができる。他の実施例について、オーバヘッド・メッセージは、いくつかのキャリアが、低いまたは中間の優先度ユーザまたは呼に利用可能でないことを示す情報も含むことができる。しかしながら、オーバヘッド・メッセージは、これらのキャリアが、高い優先度ユーザまたは緊急呼に利用可能であることを示す情報も含むこともできる。
【００２６】
移動体ユニット１２５は、ハッシングのためにキャリアを選択するためにオーバヘッド・メッセージ内に含まれる優先度情報を使用することができる。例えば、移動体ユニット１２５の初期呼設定の間、または移動体ユニット１２５が、ページングされるが、そのデフォルト・キャリアが、過負荷であるが利用可能ではない間に、移動体ユニット１２５は、それ自体の優先度クラスに利用可能であるキャリアのグループをハッシングすることだけができる。例えば、移動体ユニット１２５が、高い優先度（例えば、緊急通信のために、またはユーザがより高い優先度のアクセスについて支払うため）で動作するなら、第１にＲｅｖｉｓｉｏｎ−Ｃキャリアをハッシングすることを試みることができる。移動体ユニット１２５が、１つの高い優先度のＲｅｖｉｓｉｏｎ−Ｃキャリアをハッシングすることができないなら、移動体ユニット１２５は、１つ以上のより低い優先度のキャリアをハッシングすること試みることができる。しかしながら、移動体ユニット１２５が、比較的低い優先度（例えば、緊急ではない通信のために、またはユーザがより低い優先度のアクセスについて支払ったため）で動作するなら、移動体ユニット１２５は、Ｒｅｖｉｓｉｏｎ−Ｂキャリアをハッシングすることが制限されることができる。より低い優先度のユーザは、最新の改訂に従って動作するキャリアの負荷を緩和するために、レガシー・キャリアへ動かされまたはダウングレードされることもできる。
【００２７】
図３は、オーバヘッド・メッセージに提供されるシステム・タイプ情報を使用する方法３００の１つの例示的な実施形態を概念的に示す。示される実施形態において、オーバヘッド・メッセージが、例えば、１つ以上のキャリアを使用して無線接続性を提供する基地局によって提供される（３０５で）。上記で議論されたように、オーバヘッド・メッセージは、存在する各キャリアに関するシステム・タイプを示す情報を含む。いくつかの実施形態において、オーバヘッド・メッセージは、キャリアが、異なる優先度クラスについて利用可能かつ／または過負荷されるかどうかを示す情報も含むことができる。移動体ユニットは、オーバヘッド・メッセージを受信する（３１０で）。例えば、アイドル移動体ユニットは、活動状態へ入ることに続き（または間に）オーバヘッド・メッセージを受信することができる（３１０で）。
【００２８】
移動体ユニットは、次に利用可能なキャリアのリストを形成する（３１５で）。例えば、移動体ユニットが、Ｒｅｖｉｓｉｏｎ−Ｃ互換デバイスであるなら、キャリア・リストは、Ｒｅｖｉｓｉｏｎ−Ｃに従って動作するキャリア、ならびに移動体ユニットが後進的に互換するなら、Ｒｅｖｉｓｉｏｎ−Ｂに従って動作するキャリアを全て含みことができる。移動体ユニットは、１つのハッシングが成功するまでキャリア・リストからキャリアをハッシングし（３２０で）、かつ移動体ユニットは、キャリアに対するハッシングを使用して通信リンクを形成することができる（３２５で）。
【００２９】
図４は、異なるシステム・タイプのオーバレイされたキャリアをハッシングする方法４００の１つの例示的な実施形態を概念的に示す。示された実施形態において、オーバレイされたキャリアは、本発明がこれら特定のシステム・タイプに限定されないが、Ｒｅｖｉｓｉｏｎ−Ｂ／Ｃキャリアであることが仮定される。方法４００は、後進的に互換なＲｅｖｉｓｉｏｎ−Ｃ移動体ユニットで実装されることが仮定される。移動体ユニットは、移動体ユニットによって受信されたオーバヘッド・メッセージ内で示される存在するキャリアと関連付けられた情報をチェックする（４０５で）。１つ以上のＲｅｖｉｓｉｏｎ−Ｃキャリアが移動体ユニットを含むセクタ内で利用可能であることを、オーバヘッド・メッセージが示す（４１０で）なら、移動体ユニットは、Ｒｅｖｉｓｉｏｎ−Ｃキャリアをハッシングすることができる（４１５で）。Ｒｅｖｉｓｉｏｎ−Ｃキャリアが、移動体ユニットを包含するセクタ内の移動体ユニットに関連付けられる優先度クラスに利用可能であることを、オーバヘッド・メッセージが示す（４１０で）が、１つ以上のＲｅｖｉｓｉｏｎ−Ｂキャリアが利用可能であることを、オーバヘッド・メッセージが示す（４２０で）なら、移動体ユニットは、示されたＲｅｖｉｓｉｏｎ−Ｂキャリアをハッシングすることができる（４２５で）。Ｒｅｖｉｓｉｏｎ−Ｂキャリアが、移動体ユニットに関連付けられた優先度クラスに利用可能でないことを、オーバヘッド・メッセージが示す（４２０で）なら、ハッシングは、保留されたままであることができる（４３０で）。
【００３０】
本発明は、異なって修正されかつ実施されることができるが、等価な方法は、本明細書の教示の恩恵を受ける当業者には明らかであるので、上記に開示された特定の実施形態は、単なる例示である。さらに、特許請求の範囲に記載された以外の本明細書に示される構成または設計の詳細への制限がないことが意図される。したがって、上記で開示された特定の実施形態は、変更されまたは修正されることができ、全てのそのような変形が、本発明の範囲および精神内で考慮されることは明らかである。したがって、本明細書で求められる保護は、特許請求の範囲に示される。
【図面の簡単な説明】
【００３１】
【図１】本発明による無線通信システムの第１の例示的な実施形態を概念的に示す。
【図２】本発明によるオーバヘッド・メッセージの１つの例示的な実施形態を概念的に示す。
【図３】本発明によるオーバヘッド・メッセージに提供されるシステム・タイプ情報を使用する方法の１つの例示的な実施形態を概念的に示す。
【図４】本発明による異なるシステム・タイプのオーバレイされたキャリアをハッシングする方法の１つの例示的な実施形態を概念的に示す。
【図１】
2009539318.tif 000003
【図２】
2009539318.tif 000004
【図３】
2009539318.tif 000005
【図４】
2009539318.tif 000006
【国際調査報告】
2009539318.tif 000007
2009539318.tif 000008